(57)【要約】【課題】従来技術における、電子的通信デバイスに対するアカウントのサービスへのアクセスを管理する欠陥に対処し得る、システムおよび方法に対するニーズが存在する。【解決手段】電子デバイスと関連づけられるアカウントのサービスへのアクセスを管理するための方法であって、該方法は、該アカウントのステータスを監視することと、該アカウントのステータスが、該アカウントはアクティブでないことを示す場合、該アカウントがアクティブでない該デバイス上に通知を提供することと、該アカウントを再起動するために、該通知において少なくとも１つのオプションを提供することとを包含する、方法。【選択図】図４Ａ
2009129464.tif 000002
【特許請求の範囲】
【請求項１】
電子デバイスと関連づけられるアカウントのサービスへのアクセスを管理するための方法であって、該方法は、
該アカウントのステータスを監視することと、
該アカウントのステータスが、該アカウントはアクティブでないことを示す場合、
該アカウントがアクティブでない該デバイス上に通知を提供することと、
該アカウントを再起動するために、該通知において少なくとも１つのオプションを提供することと
を包含する、方法。
【請求項２】
前記アカウントを再起動するための前記少なくとも１つのオプションの、オプションの選択の際に、該アカウントを再起動するために要求を開始することと、
該アカウントの再起動の際に、該アカウントに関連する前記サービスへのアクセスを提供することと
をさらに包含する、請求項１に記載の方法。
【請求項３】
前記通知は、前記デバイス上のディスプレイ上のグラフィカルユーザインターフェイス「ＧＵＩ」内に提供されるメッセージを介して提供される、請求項１または請求項２に記載の方法。
【請求項４】
前記アカウントを再起動するための前記オプションの選択の際に、メッセージは、前記デバイスから、該アカウントを再起動するための要求を提供する該デバイスと通信するサーバに送信される、請求項１〜請求項３のうちの１項に記載の方法。
【請求項５】
前記アカウントがアクティブでない間、該アカウントと関連づけられる別のサービスは、前記デバイスによってアクセス可能である、請求項１〜請求項４のうちの１項に記載の方法。
【請求項６】
前記サービスは、前記デバイスに宛てられた受信されたＥメールへのアクセスを提供する、請求項５に記載の方法。
【請求項７】
前記サービスは、インターネットウェブサイトへのアクセスである、請求項５に記載の方法。
【請求項８】
前記アカウントがアクティブでない場合に、前記サービスの一部分を前記デバイスに対して提供することをさらに包含する、請求項１〜請求項４のうちの１項に記載の方法。
【請求項９】
前記サービスの一部分は、前記デバイスによって受信されたＥメールの指示を提供する、請求項８に記載の方法。
【請求項１０】
前記アカウントは、前記デバイスに対するＥメールを関連づけ、
該アカウントがアクティブでない間、
該アカウントに関連するＥメールは、該デバイスによって受信され続け、
該アカウントがアクティブでない間に受信される該Ｅメールは、該デバイスを介してアクセスされる場合に、制限されたアクセス特権を有する、請求項９に記載の方法。
【請求項１１】
前記アカウントのステータスは、前記受信されたＥメールと関連づけられるフラグ内に提供され、
前記デバイスは、該デバイスによって受信されたＥメールへのアクセスのレベルを決定するために該フラグを評価する、請求項１０に記載の方法。
【請求項１２】
前記アカウントのステータスは、前記デバイスに対して提供されるグローバルなフラグ内に提供され、
該デバイスは、該デバイスによって受信されたＥメールへのアクセスのレベルを決定するために該フラグを評価する、請求項１０に記載の方法。
【請求項１３】
前記アカウントに関連するＥメールは、前記デバイスに対してプッシュベースにおいてＥメールインターフェイスサーバから提供される、請求項９に記載の方法。
【請求項１４】
前記アカウントに関連するＥメールは、要求が前記デバイスから開始された後、該デバイスに対してプルベースでＥメールインターフェイスサーバから提供される、請求項９に記載の方法。
【請求項１５】
アカウントに関連する通信サービスを提供する電子デバイスであって、
該アカウントと関連づけられるステータスフラグを評価するための第１のモジュールと、
該ステータスフラグが、該アカウントはアクティブでないことを示す場合に、該デバイスのディスプレイ上に通知を生成するための第２のモジュールであって、該通知は、該アカウントを再起動するためにオプションを提供する、第２のモジュールと、
該アカウントと関連した該サービスへのアクセスを該ステータスフラグに依存して制御するための第３のモジュールと、
該アカウントを再起動するための該オプションの起動の際に、該アカウントの再起動を要求するために該デバイスからのアウトバウンドのメッセージを生成し、送信するための第４のモジュールと、
該アカウントの再起動の承認を示す信号の受信を監視し、該承認を反映させて該ステータスフラグをアップデートするための第５のモジュールと
を備える、電子デバイス。
【請求項１６】
前記サービスは、リモートサーバからのインバウンドの電子的通信を受信することを関連づける、請求項１５に記載の電子デバイス。
【請求項１７】
前記デバイスは、前記リモートサーバから受信された電子的通信を格納し、前記ステータスフラグに基づき、該受信された電子的通信の１つ以上へのアクセスを選択的に提供する、請求項１６に記載の電子デバイス。
【請求項１８】
前記アカウントがアクティブでない間、該アカウントと関連づけられる別のサービスは、前記デバイスによってアクセス可能である、請求項１７に記載の電子デバイス。
【請求項１９】
前記デバイスは、
前記ステータスフラグが、前記アカウントはアクティブでないことを示す間、該アカウントに関連する前記インバウンドの通信を前記リモートサーバから受信し続けることと、
該ステータスフラグが、該アカウントはアクティブでないことを示す間、該インバウンドの電子的通信を含むリストを提供することと、
該ステータスフラグが、該アカウントはアクティブでないことを示す間、該インバウンドの通信の少なくとも１つに対して制限されたアクセス権を提供することと
を行う、請求項１７に記載の電子デバイス。
【請求項２０】
前記デバイスは、前記ステータスフラグが、前記アカウントは再起動されたことを示した後、前記制限されたアクセス権を調整する、請求項１９に記載の電子デバイス。
【請求項２１】
コンピュータシステムのプロセッサ上で実行可能な命令を備えるコンピュータ読取り可能な媒体であって、該命令は、該プロセッサによって実行される場合に、該コンピュータシステムに、請求項１〜請求項１４のうちの１項に記載の方法のステップを実行させる、コンピュータ読取り可能な媒体。
【発明の詳細な説明】
【技術分野】
【０００１】
本開示は、概して電子的通信デバイスに対するアカウントに関連するサービス（例えば、音声サービスまたはデータサービス）へのアクセスを管理するためのシステムおよび方法に関する。特に、本明細書中に記載される本発明は、アカウントに対するアクセス特権を監視することと、いつ特権が制限され得るかを決定することと、デバイス上のアカウントのステータスに関するメッセージおよびオプションを提供することとに関する。
【背景技術】
【０００２】
（無線）ハンドヘルドモバイル通信デバイスは、一般的に複数の異なるネットワーク（例えば、音声およびデータネットワーク）にアクセスする。無線通信デバイスがポータブルであることにより、それらがローミングする（ｒｏａｍ）場合に、無線通信デバイスは、いくつかの異なる無線通信ネットワークと接続および通信し得る。データのアカウントは、１つ以上のサービス（例えば、Ｅメール、インターネットアクセス、Ｒｅａｌｌｙ  Ｓｉｍｐｌｅ  Ｓｙｎｄｉｃａｔｉｏｎ（ＲＳＳ）配信およびその他のサービス）をデバイスに対して提供し得る。無線デバイスに対する１つの普及したデータサービスは、Ｅメールである。そのサービスは、ユーザが他のユーザに対して電子的なメッセージを作成および分配することを可能にする、電子的通信のユビキタスな手段を提供する。音声のアカウントは、セル式電話の接続性、テキストメッセージング、ショートメッセージサービス（ＳＭＳ）およびその他を提供し得る。
【０００３】
デバイスが加入する各サービスは一般的に、デバイスに対する使用量および課金を追跡するために、アカウントと関連づけられる。アカウントは、任意のアカウンティング規範（例えば、期間ごと、使用ごと、均一料金、（時間または使用量のいずれかの）使用量ベースによる課金など）に従い得る。アカウントがサービスに対して（例えば、プリセットされたデータ量を使い果たす際に）失効になる場合、サービスプロバイダは、しばしばデフォルトの「ロールオーバー（ｒｏｌｌｏｖｅｒ）」をアカウントに対して設定し、ここではアクセスが自動的に拡張され、アカウントの価格およびアクセスの機能は、アカウントの異なるクラスに変更される。新しいクラスは、しばしばより高い料金を有する。そのようなものとして、特定のタイプのアカウントを有するユーザは、そのアカウントが失効になり、異なるアカウント内に自動的にロールオーバーされたことに気付き得ない。そのようなものとして、そのユーザの使用料金はより高くなるであろうし、ユーザは、そのアカウントに対する次の計算書の受け取りの際に、このロールオーバーを発見し得るのみである。例えば、試用アカウントに対して、アクセスは、制限された時間または制限されたデータ伝送量の間、サービスに対して最初に提供される。ユーザがデバイスと関連づけられたユーザの試用アカウントを使い果たす場合、ユーザは、そのアカウントが失効になり、異なるタイプのアカウント内に「ロールオーバーされた」といういかなる指示をも提供され得ない。
【発明の開示】
【発明が解決しようとする課題】
【０００４】
従来技術において提供されるような、上記のようなアカウントに対するアクセスを管理する欠陥に対処するシステムおよび方法に対するニーズが存在する。
【課題を解決するための手段】
【０００５】
（開示の概要）
実施形態の第１の局面において、電子デバイスと関連づけられるアカウントのサービスへのアクセスを管理するための方法が提供される。上記方法は、アカウントのステータスを監視する。アカウントのステータスが、アカウントがアクティブでないことを示す場合、上記方法は、アカウントがアクティブでないデバイス上に通知を提供し、アカウントを再起動するために通知において少なくとも１つのオプションを提供する。
【０００６】
上記方法は、アカウントを再起動するためのオプションの選択の際に、アカウントを再起動するために要求を開始することと、アカウントの再起動の際に、アカウントに関連するサービスへのアクセスを提供することとをさらに含み得る。
【０００７】
上記方法において、通知は、デバイス上のディスプレイ上のグラフィカルユーザインターフェイス（ＧＵＩ）内に提供されるメッセージを介して提供され得る。
【０００８】
上記方法において、アカウントを再起動するためのオプションの選択の際に、メッセージは、アカウントを再起動する要求を提供するデバイスと通信するサーバに対してデバイスから送信され得る。
【０００９】
上記方法において、アカウントがアクティブでない間、アカウントと関連づけられる別のサービスは、デバイスによってアクセス可能であり得る。
【００１０】
上記方法において、サービスは、デバイスに宛てられた受信されたＥメールへのアクセスを提供することであり得る。
【００１１】
上記方法において、サービスは、インターネットウェブサイトへのアクセスを提供することであり得る。
【００１２】
上記方法は、アカウントがアクティブでない場合に、サービスの一部分をデバイスに対して提供することをさらに含み得る。サービスの一部分は、デバイスによって受信されたＥメールの指示を提供することであり得る。
【００１３】
上記方法において、アカウントは、デバイスに対するＥメールと関連し得る。さらに、アカウントがアクティブでない間、アカウントに関連するＥメールは、デバイスによって受信されることを継続され得、アカウントがアクティブでない間に受信されるＥメールは、デバイスを介してアクセスされる場合に、制限されたアクセス特権を有し得る。
【００１４】
上記方法において、アカウントのステータスは、受信されたＥメールと関連づけられるフラグ内に提供され得、デバイスは、デバイスによって受信されたＥメールへのアクセスのレベルを決定するためにフラグを評価し得る。
【００１５】
上記方法において、アカウントのステータスは、デバイスに対して提供されるグローバルなフラグ内に提供され得、デバイスは、デバイスによって受信されたＥメールへのアクセスのレベルを決定するためにフラグを評価し得る。
【００１６】
上記方法において、アカウントに関連するＥメールは、デバイスに対してプッシュベースにおいてＥメールインターフェイスサーバから提供され得る。代替または追加として、アカウントに関連するＥメールは、要求がデバイスから開始された後、デバイスに対してプルベースでＥメールインターフェイスサーバから提供され得る。
【００１７】
第２の局面において、アカウントに関連する通信サービスを提供する電子デバイスが提供され得る。この局面において、デバイスは、５つのモジュールを備える。第１のモジュールは、アカウントと関連づけられるステータスフラグを評価する。ステータスフラグが、アカウントはアクティブでないことを示す場合に、第２のモジュールは、デバイスのディスプレイ上に通知を生成し、この通知が、アカウントを再起動するオプションを提供する。第３のモジュールは、アカウントと関連したサービスへのアクセスをステータスフラグに依存して制御する。第４のモジュールは、アカウントを再起動するオプションの起動の際に、アカウントの再起動を要求するために、デバイスからのアウトバウンドのメッセージを生成し、送信する。第５のモジュールは、アカウントの再起動の承認を示す信号の受信を監視し、承認を反映してステータスフラグをアップデートする。
【００１８】
上記デバイスにおいて、サービスは、リモートサーバからインバウンドの電子的通信を受信することに関連し得る。リモートサーバは、Ｅメールインターフェイスサーバ、Ｅメールサーバまたはインターフェイスサーバの任意の１つまたは任意の一部分であり得る。
【００１９】
上記デバイスは、リモートサーバから受信された電子的通信を格納し得、ステータスフラグに基づき、受信された電子的通信の１つ以上へのアクセスを選択的に提供し得る。
【００２０】
上記デバイスにおいて、アカウントがアクティブでない間、アカウントと関連づけられる別のサービスは、デバイスによってアクセス可能であり得る。
【００２１】
上記デバイスは、ステータスフラグが、アカウントはアクティブでないことを示す間、アカウントに関連する、インバウンドの通信をリモートサーバから受信し続け、ステータスフラグが、アカウントはアクティブでないことを示す間、インバウンドの電子的通信を含むリストを提供し、ステータスフラグが、アカウントはアクティブでないことを示す間、インバウンドの通信の少なくとも１つに対して制限されたアクセス権を提供し得る。
【００２２】
上記デバイスは、ステータスフラグが、アカウントは再起動されたことを示した後、制限されたアクセス権を調整し得る。
【００２３】
他の局面において、上記局面の組およびサブセットの様々な組合せが提供される。
【００２４】
本発明は、さらに以下の手段を提供する。
【００２５】
（項目１）
電子デバイスと関連づけられるアカウントのサービスへのアクセスを管理するための方法であって、該方法は、
該アカウントのステータスを監視することと、
該アカウントのステータスが、該アカウントはアクティブでないことを示す場合、
該アカウントがアクティブでない該デバイス上に通知を提供することと、
該アカウントを再起動するために、該通知において少なくとも１つのオプションを提供することと
を包含する、方法。
【００２６】
（項目２）
上記アカウントを再起動するための上記少なくとも１つのオプションの、オプションの選択の際に、該アカウントを再起動するために要求を開始することと、
該アカウントの再起動の際に、該アカウントに関連する上記サービスへのアクセスを提供することと
をさらに包含する、項目１に記載の方法。
【００２７】
（項目３）
上記通知は、上記デバイス上のディスプレイ上のグラフィカルユーザインターフェイス「ＧＵＩ」内に提供されるメッセージを介して提供される、項目１または項目２に記載の方法。
【００２８】
（項目４）
上記アカウントを再起動するための上記オプションの選択の際に、メッセージは、上記デバイスから、該アカウントを再起動するための要求を提供する該デバイスと通信するサーバに送信される、項目１〜項目３のうちの１項に記載の方法。
【００２９】
（項目５）
上記アカウントがアクティブでない間、該アカウントと関連づけられる別のサービスは、上記デバイスによってアクセス可能である、項目１〜項目４のうちの１項に記載の方法。
【００３０】
（項目６）
上記サービスは、上記デバイスに宛てられた受信されたＥメールへのアクセスを提供する、項目５に記載の方法。
【００３１】
（項目７）
上記サービスは、インターネットウェブサイトへのアクセスである、項目５に記載の方法。
【００３２】
（項目８）
上記アカウントがアクティブでない場合に、上記サービスの一部分を上記デバイスに対して提供することをさらに包含する、項目１〜項目４のうちの１項に記載の方法。
【００３３】
（項目９）
上記サービスの一部分は、上記デバイスによって受信されたＥメールの指示を提供する、項目８に記載の方法。
【００３４】
（項目１０）
上記アカウントは、上記デバイスに対するＥメールを関連づけ、
該アカウントがアクティブでない間、
該アカウントに関連するＥメールは、該デバイスによって受信され続け、
該アカウントがアクティブでない間に受信される該Ｅメールは、該デバイスを介してアクセスされる場合に、制限されたアクセス特権を有する、項目９に記載の方法。
【００３５】
（項目１１）
上記アカウントのステータスは、上記受信されたＥメールと関連づけられるフラグ内に提供され、
上記デバイスは、該デバイスによって受信されたＥメールへのアクセスのレベルを決定するために該フラグを評価する、項目１０に記載の方法。
【００３６】
（項目１２）
上記アカウントのステータスは、上記デバイスに対して提供されるグローバルなフラグ内に提供され、
該デバイスは、該デバイスによって受信されたＥメールへのアクセスのレベルを決定するために該フラグを評価する、項目１０に記載の方法。
【００３７】
（項目１３）
上記アカウントに関連するＥメールは、上記デバイスに対してプッシュベースにおいてＥメールインターフェイスサーバから提供される、項目９に記載の方法。
【００３８】
（項目１４）
上記アカウントに関連するＥメールは、要求が上記デバイスから開始された後、該デバイスに対してプルベースでＥメールインターフェイスサーバから提供される、項目９に記載の方法。
【００３９】
（項目１５）
アカウントに関連する通信サービスを提供する電子デバイスであって、
該アカウントと関連づけられるステータスフラグを評価するための第１のモジュールと、
該ステータスフラグが、該アカウントはアクティブでないことを示す場合に、該デバイスのディスプレイ上に通知を生成するための第２のモジュールであって、該通知は、該アカウントを再起動するためにオプションを提供する、第２のモジュールと、
該アカウントと関連した該サービスへのアクセスを該ステータスフラグに依存して制御するための第３のモジュールと、
該アカウントを再起動するための該オプションの起動の際に、該アカウントの再起動を要求するために該デバイスからのアウトバウンドのメッセージを生成し、送信するための第４のモジュールと、
該アカウントの再起動の承認を示す信号の受信を監視し、該承認を反映させて該ステータスフラグをアップデートするための第５のモジュールと
を備える、電子デバイス。
【００４０】
（項目１６）
上記サービスは、リモートサーバからのインバウンドの電子的通信を受信することを関連づける、項目１５に記載の電子デバイス。
【００４１】
（項目１７）
上記デバイスは、上記リモートサーバから受信された電子的通信を格納し、上記ステータスフラグに基づき、該受信された電子的通信の１つ以上へのアクセスを選択的に提供する、項目１６に記載の電子デバイス。
【００４２】
（項目１８）
上記アカウントがアクティブでない間、該アカウントと関連づけられる別のサービスは、上記デバイスによってアクセス可能である、項目１７に記載の電子デバイス。
【００４３】
（項目１９）
上記デバイスは、
上記ステータスフラグが、上記アカウントはアクティブでないことを示す間、該アカウントに関連する上記インバウンドの通信を上記リモートサーバから受信し続けることと、
該ステータスフラグが、該アカウントはアクティブでないことを示す間、該インバウンドの電子的通信を含むリストを提供することと、
該ステータスフラグが、該アカウントはアクティブでないことを示す間、該インバウンドの通信の少なくとも１つに対して制限されたアクセス権を提供することと
を行う、項目１７に記載の電子デバイス。
【００４４】
（項目２０）
上記デバイスは、上記ステータスフラグが、上記アカウントは再起動されたことを示した後、上記制限されたアクセス権を調整する、項目１９に記載の電子デバイス。
【００４５】
（項目２１）
コンピュータシステムのプロセッサ上で実行可能な命令を備えるコンピュータ読取り可能な媒体であって、該命令は、該プロセッサによって実行される場合に、該コンピュータシステムに、項目１〜項目１４のうちの１項に記載の方法のステップを実行させる、コンピュータ読取り可能な媒体。
【００４６】
（摘要）
本明細書中に記載される発明は、電子デバイスと関連づけられるアカウントのサービスに対するアクセスを管理するためのデバイスおよび方法に関して提供される。その方法は、アカウントのステータスを監視する。アカウントがアクティブでない場合、通知は、アカウントを再起動するためのオプションと同一のオプションを示してデバイス上に提供される。アカウントの再起動の際に、サービスに対するアクセスが提供される。デバイスにおいて、５つのモジュールが提供され、それらのモジュールは、アカウントと関連づけられるステータスフラグを評価することと、アカウントがアクティブでない場合に、ディスプレイ上に通知を生成することと、アカウントと関連したサービスに対するアクセスをステータスフラグに依存して制御することと、必要に応じて、アカウントの再起動を要求するために、デバイスからのアウトバウンドのメッセージを生成および送信することと、アカウントの再起動の承認を示す信号の受信を監視して、ステータスフラグをアップデートすることとを行う。
【発明を実施するための最良の形態】
【００４７】
本開示の実施形態は、添付の図面を参照して単に例示としてここで記載される。
【００４８】
（好適な実施形態の説明）
以下の説明および本明細書に記載される実施形態は、本開示の原理の特定の実施形態の１つ以上の実施例の例示として提供される。実施例は、それらの原理および本開示の限定ではなく説明の目的のために提供される。以下の記載において、同様な部品は、同じそれぞれの参照番号によって本明細書および図面の全体にわたって記される。
【００４９】
概して、実施形態は、通信デバイス（ｃｏｍｍｕｎｉｃａｔｏｒ  ｄｅｖｉｃｅ）に割り当てられたアカウントに対するサービス（音声またはデータ）へのアクセスを管理するシステムおよび方法を提供し得る。実施形態は、アカウントのステータスを追跡し得る。アカウントが（時間の制限またはデータ処理量の制限のいずれかに対して）失効であることが決定される場合に、実施形態は、デバイスがアカウントに関連するサービスに対して要求を開始するときに、アカウントが失効になったことをユーザに知らせるために、デバイス上に通知（ｎｏｔｉｆｉｃａｔｉｏｎ）を生成し得る。通知は、１つ以上のインジケータを介して提供され得、該インジケータは、アイコン、デバイスのディスプレイ上に生成される「ポップアップ」メッセージ、デバイス上の特別なランプの起動または追加の通知を含む。通知は、アカウントの制限またはアカウントのステータスを、拡張または変更するオプションを含む、サービスを続行するためのオプションを識別するユーザに対して、オプションを提供し得る。アカウントを元通りにすること（ｒｅｐｌｅｎｉｓｈｉｎｇ）に関連するオプションが選択される場合、ついで上記実施形態は、要求通りに、アカウントを元通りにすることを試み得る。アカウントが修復される場合、ついでデバイスは、最初に要求されたサービスへのアクセスを提供され得る。
【００５０】
実施形態の例示的な詳細が、本明細書中に提供される。
【００５１】
まず、記載は、実施形態に従う、ネットワーク化された音声およびデータ通信サービスにアクセスできる例示的な通信デバイスについて提供される。図１を参照すると、システム１００において、デバイス１０８は、１つのネットワーク１０２ならびに複数のネットワーク１１０、１２４、および１２８を含む、１つ以上のネットワークと通信し得る。デバイス１０８は、データ通信デバイス、音声通信デバイス、または音声、データおよび他のタイプの通信が可能な複式モード（ｍｕｌｔｉｐｌｅ−ｍｏｄｅ）デバイスであり得る。デバイス１０８は、無線ハンドヘルドデバイス、セル式電話、スマートフォン、携帯情報端末（ＰＤＡ）、および／またはコンピュータ（デスクトップまたはポータブルのいずれかであり、その内にインストールされた、（無線）ネットワークカード、ネットワークアダプタおよび／またはネットワークインターフェイスコントローラ（ＮＩＣ）を有するコンピュータ）であり得る。
【００５２】
デバイス１０８は、ネットワーク１０２、１１０および１２４の１つ以上を介して提供される１つ以上の音声またはデータサービスに加入し得る。サービスは、そのようなサービスが提供されることを可能にするために、起動される必要があり得るアカウントと関連づけられ得る。実施形態の１つの機能は、デバイス１０８に提供されるサービスに対する１つ以上のアカウントのためのアクセス特権（ａｃｃｅｓｓ  ｐｒｉｖｉｌｅｇｅ）を追跡することと、特権がまさに変更される（または、変更された）ときに、デバイス１０８上に通知を提供することとである。その通知は、失効したか、または使い果たされた（ｅｘｈａｕｓｔｅｄ）アカウントに対するサービスの要求が開始されるときに、生成され得る。アカウントを（再）起動するためのオプションは、通知において提供され得る。一旦オプションが提供されると、アカウントは、再び起動されるか、または元通りにされ得、ついでアクセスは、最初に要求されたデータまたはサービスに対して提供され得る。
【００５３】
特定の詳細が実施形態の機能について提供される前に、記載は、デバイス１０８と通信するネットワークについて提供される。ネットワーク１０２は、関連づけられたサーバを介して一式のアプリケーション、サービスおよびデータを、接続されたデバイス１０４に提供する。デバイス１０４は、有線の接続またはインターネット１０６を介する外部接続を介してネットワーク１０２と接続する。デバイス１０８は、デバイス１０４のようにネットワーク１０２と接続し得るが、この接続は、図１に示されない。ネットワーク１０２は、任意の公知のネットワークアーキテクチャトポロジーにおいて実装され得る。
【００５４】
ネットワーク１０２の一部分として、Ｅメールサーバ１１４は、デバイス１０４（およびデバイス１０８）が、電子メッセージおよび添付物をネットワーク１０２内ならびに外部のデバイスおよびネットワークと交換することを可能にする、メッセージングクライアントを提供する。ＩＰベースのネットワークに対して、Ｅメールサーバ１１４は、その関連づけられたデバイス１０４への、またはデバイス１０４からのＥメールが送信および受信される特定のポートを監視するように構成されたソフトウェアを有する。Ｅメールサーバ１１４のための２つの一般的に用いられるメッセージサーバは、Ｍｉｃｒｏｓｏｆｔ  Ｅｘｃｈａｎｇｅ（商標）およびＬｏｔｕｓ  Ｄｏｍｉｎｏ（商標）である。いずれのサーバ内においても、メッセージは、様々なデバイスからＥメールサーバ１１４によって受信される。これらのメッセージは、ついで受信されたメッセージ内でアドレスされたユーザアカウントのための適切なメールボックスに分配され、それからメッセージングクライアントとして動作するコンピュータシステムを介してユーザによってアクセスされる。無線アプリケーションプロトコル（ＷＡＰ）ゲートウェイは、代替のインターフェイスをＥメールサーバ１１４上のユーザのメールボックスに提供し、そのインターフェイスを介して、Ｅメールサーバ上のユーザのメールボックス内のメッセージのリスト、および可能性として各メッセージまたは各メッセージの一部分が、デバイス１０８に送信され得る。データベース１２０は、データ格納システムを、ネットワーク１０２内の１つ以上の要素（Ｅメールサーバ１１４を含む）に対して提供する。
【００５５】
ゲートウェイ１１８は、ネットワーク１０２内の要素と、インターネット１０６を介して接続された外部デバイスとの間の選択された通信を提供し、かつ監視する。Ｅメールサーバ１１４は、その外部の（有線でない）Ｅメールがゲートウェイ１１８を通過するように示される。その他のネットワーク構成において、Ｅメールサーバ１１４は、インターネット１０６にアクセスするためにゲートウェイ１１８をバイパスし得る。
【００５６】
ネットワーク１０２において、一連のリンキングモジュール（ｌｉｎｋｉｎｇ  ｍｏｄｕｌｅ）およびサーバは、ネットワーク１０２を他のネットワークと接続するために提供される。ワイドアクセスネットワーク（ＷＡＮ−図示されない）もまた、リモートデバイス１０４がネットワーク１０２に接続することを可能にするように、ネットワーク１０２と接続され得る。あるいは、専用の無線ネットワークゲートウェイ（例えば、無線の仮想閉域網（ＶＰＮ）ルータ）は、専用のインターフェイスを無線ネットワークに提供するように実装され得る。
【００５７】
さらなる詳細はここで、デバイス１０８と通信するその他のネットワークについて提供される。まず、ネットワーク１１０は、ネットワーク１０２に接続される例示的な外部のネットワークである。インターフェイスサーバ１１２は、ネットワーク１０２と無線ネットワーク１１０との間にインターフェイスを提供する。そのようなものとして、ネットワーク１０２によって提供される選択されたサービスは、Ｅメールサービスおよびインターネットサービスなどのネットワーク１１０を介して、デバイス１０８によってアクセス可能であり得る。その目的のために、インターフェイスサーバは、デバイス１０８に対する接続アドレスを追跡し、ネットワーク１０２からネットワーク１１０への無線伝送のためのメッセージを符号化および変換する。Ｗｅｂサーバ１１６は、インターフェイスサーバ１１２と接続され、ネットワーク１１０を介してデバイス１０８から受信されたＷｅｂページ要求に対するインターフェイスを提供する。そのＷｅｂページは、ネットワーク１０２内でローカルに格納され得るか、またはインターネット１０６内の他の場所に置かれ得る。
【００５８】
Ｅメールインターフェイスサーバ１２２は、サーバ１１２に対して、ネットワーク１０２とネットワーク１１０との間でＥメールを追跡および転送する。Ｅメールインターフェイスサーバ１２２は、デバイス１０８に配布するために、Ｅメールサーバ１１４からすべてのＥメールまたは選択したＥメールを受信し、再パッケージし、それらのＥメールをネットワーク１１０に転送するように構成され得る。そのように、ＥメールがＥメールサーバ１１４からインターフェイスサーバ１１２に提供される場合に、Ｅメールの別のローカルなコピーは、Ｅメールインターフェイスサーバ１２２内に格納され得る。
【００５９】
無線ネットワーク１２４は、ネットワーク１０２への別の通信リンクをデバイス１０８に対して提供する。無線ネットワーク１２４は、データ集約型ネットワーク、音声集約型ネットワーク、またはデュアルモードネットワークであり得る。一実施形態において、無線ネットワーク１２４は一般に、ＩＥＥＥ  ＬＡＮ／ＭＡＮ標準化委員会によって制定され、ＩＥＥＥ８０２として公知の、作業グループ「１１」による規格に従うＷｉ−Ｆｉネットワークとして実装される。この８０２．１１規格は、ＷＬＡＮのための開放型システム間相互接続（ＯＳＩ）プロトコルモデルにおけるメディアアクセス制御（ＭＡＣ）レイヤおよび物理（ＰＨＹ）レイヤを規定する。そのような規格は、当業者に公知である。無線ネットワーク１２４に対する管理機能は、この無線ネットワーク１２４を制御するソフトウェアによって提供され得る。上記ソフトウェアは、ネットワーク識別およびネットワークアクセスパラメータなどの機能を管理し得る。初期の８０２．１１規格は、一連の改正が付け加えられており、それぞれの改正は、規格番号の識別子「８０２．１１」に続く英字のサフィックスによって識別される。この８０２．１１の改正のファミリーは時に、８０２．１１ｘファミリーと称される。現在、８０２．１１の改正は、６つの無線変調方式を含んでおり、そのすべての方式が、それらの通信要素との間で同じ通信プロトコルを用いる。そのようなネットワークは、８０２．１１の現在の５つのバージョン（８０２．１１、８０２．１１ａ、８０２．１１ｂ、８０２．１１ｇおよび８０２．１１ｎ）の１つ以上において配備される。これらのネットワークの特定の伝送の詳細およびパラメータは、当業者に公知である。
【００６０】
無線ネットワーク１２４は、当業者に公知であるアンテナおよびサポートする無線伝送機器を含む。アクセスポイント（ＡＰ）１２６Ａは、ネットワーク１０２内に示され、一実施形態において、ＡＰ１２６Ａは、ＩＥＥＥ８０２．１１無線受信器／送信器（すなわちトランシーバ）であり、ネットワーク１２４とネットワーク１０２との間のブリッジとして機能する。セキュリティのために、ＡＰ１２６Ａは、それぞれのファイアウォールおよび／またはＶＰＮ（図示されない）を介して、ネットワーク１０２に通信可能に連結され得る。そのＡＰは、無線ネットワーク１２４内のデバイス１０８間、および無線ネットワーク１２４内のデバイス１０８と、その他の接続されたネットワーク内の他のデバイスとの間でデータ配布サービスを提供する。ＡＰ１２６Ａと関連した基地局（ｓｔａｔｉｏｎ）に対してＡＰ１２６Ａによって提供される１つの配布サービスは、それの通信デバイス１０８に論理的な接続を確立することである。ネットワーク１１０と同様に、管理サーバ（図示されない）は、ネットワーク１２４のためにデバイス１０８と関連づけられる（複数の）アカウントを提供され得る。
【００６１】
さらに、デバイス１０８は、セル式ネットワーク１２８を介してデバイス１０８Ｂと通信し得る。ネットワーク１２８のカバレッジエリアは、ネットワーク１２４およびネットワーク１１０のカバレッジエリアと部分的に重なり得る。セル式ネットワーク１２８は、音声サービスおよびデータサービスをデバイス１０８およびデバイス１０８Ｂに提供する。セル式ネットワーク１２８に対するデータ集約型技術は、Ｍｏｂｉｔｅｘ（商標）Ｒａｄｉｏ  Ｎｅｔｗｏｒｋ（「Ｍｏｂｉｔｅｘ」）およびＤａｔａＴＡＣ（商標）Ｒａｄｉｏ  Ｎｅｔｗｏｒｋ（「ＤａｔａＴＡＣ」）を含む。セル式ネットワーク１２８に対する音声集約型技術は、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）および時分割多元接続（ＴＤＭＡ）システムのようなパーソナルコミュニケーションシステム（ＰＣＳ）ネットワークを含む。特定のネットワークは、複数のシステムを提供する。例えば、デュアルモード無線ネットワークは、符号分割多元接続（ＣＤＭＡ）ネットワーク、Ｇｅｎｅｒａｌ  Ｐａｃｋｅｔ  Ｒａｄｉｏ  Ｓｅｒｖｉｃｅ（ＧＰＲＳ）ネットワーク、およびＥｎｈａｎｃｅｄ  Ｄａｔａ  ｒａｔｅｓ  ｆｏｒ  Ｇｌｏｂａｌ  Ｅｖｏｌｕｔｉｏｎ（ＥＤＧＥ）およびＵｎｉｖｅｒｓａｌ  Ｍｏｂｉｌｅ  Ｔｅｌｅｃｏｍｍｕｎｉｃａｔｉｏｎｓ  Ｓｙｓｔｅｍｓ（ＵＭＴＳ）などのいわゆる第三世代（３Ｇ）ネットワークを含む。利用され得るその他のネットワーク通信技術は、例えば、Ｕｌｔｒａ  Ｍｏｂｉｌｅ  Ｂｒｏａｄｂａｎｄ（ＵＭＢ）、Ｅｖｏｌｕｔｉｏｎ−Ｄａｔａ  Ｏｐｔｉｍｉｚｅｄ（ＥＶ−ＤＯ）、およびＨｉｇｈ  Ｓｐｅｅｄ  Ｐａｃｋｅｔ  Ａｃｃｅｓｓ（ＨＳＰＡ）などを含む。この場合もまた管理サーバ（図示されない）は、ネットワーク１２８のためにデバイス１０８と関連づけられる（複数の）アカウントを提供され得る。
【００６２】
ネットワーク１２８は、デバイスをその他のネットワークと接続するためにアクセスポイントをも有し得る。例えば、ネットワーク１２８は、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）およびＩＳ−１３６携帯電話に対して、Ｇｅｎｅｒａｌ  Ｐａｃｋｅｔ  Ｒａｄｉｏ  Ｓｅｒｖｉｃｅ（ＧＰＲＳ）をサポートするように実装され得る。アクセスポイント１２６Ｂは、リモートのデータおよびサービスのためのインターフェイスを、ネットワーク１２８内のデバイス１０８を含むデバイスに対して提供し得る。
【００６３】
ＡＰ１２６Ｂと関連づけられたアクセスポイント名（ＡＰＮ）は、どのような外部の（複数の）ネットワークが、ネットワーク１２８からデバイス１０８によってアクセス可能であるかを識別する。データまたは外部サービスへのアクセス（例えば、ＩＰアクセス）に対する要求を管理および処理することにおいて、実施形態は、ＳＩＭならびに貯蔵する情報および他のデータ（例えば、ユーザ名／パスワード）をデバイス１０８からネットワーク１２８に送信し得ることにより、ネットワーク１２８は、デバイス１０８に対してどのＡＰＮを用いるかを決定し得る。この時点で、デバイス１０８に対する関連したアカウントのステータスに関して、アセスメントがなされ得る。アカウントが確認された場合、外部ネットワークへのリンク（ＰＰＰリンクなど）は、デバイス１０８に対して確立されることが可能にされ得、サービス要求が完了される。
【００６４】
実施形態に従う、デバイス１０８によってアクセスされるアカウントを管理することに関連する機能に戻ると、ネットワーク１０２、１１０、１２４および１２８のそれぞれは、デバイス１０８（およびデバイス１０４）によってアクセスされ得る、音声サービスおよびデータサービスの組合せを提供し得る。データのアカウントは、Ｅメール、インターネットアクセスおよびその他のような１つ以上のサービスを提供し得る。Ｅメールのアカウントは、１つの普及しているデータサービスである。音声のアカウントは、セル式電話の接続性、テキストメッセージング、ＳＭＳ、マルチメディアメッセージングサービス（ＭＭＳ）およびその他を提供し得る。
【００６５】
実施形態の１つの機能は、デバイス１０８に対して、ネットワーク（例えば、ネットワーク１２４または１２８）と関連した音声およびデータのアカウントを監視する。実施形態は、アカウントの特定のサービスがデバイス１０８によってアクセスされる（または、アクセスされることが試みられる）場合に、特定のメッセージおよび／または通知の生成を開始し得る。コンテンツまたは通知の発行は、アカウントのステータスに依存し得る。通知が１つのアカウント（または１つのアカウントの１つの部分）に対して生成される場合に、デバイスは、その他のサービスがアクセスされるときに生成される同様なメッセージを有し得るか、または有し得ない。
【００６６】
上記の機能を提供するために、デバイス１０８と関連づけられる（複数の）アカウントの１つ以上の現在のステータスは、アクセスされ、追跡される必要がある。ネットワーク１１０に対して、上記のことは、管理サーバ（図示されない）を介して提供され、インターフェイスサーバ１１２の一部分として実装され得る。あるいは、管理サーバの一部分は、インターフェイスサーバ１１２によってアクセス可能である、リモートサーバ（図示されない）において実装され得る。管理サーバは、ネットワーク１１０のために、デバイス１０８と関連づけられる（複数の）アカウントに対する使用量、アクセス時間、支払い情報およびその他の管理データを監視し得る。同様な管理サーバは、ネットワーク１０２およびネットワーク１２８に対して提供され得る。Ｅメールインターフェイスサーバ１２２はまた、管理サーバからのアカウントデータにアクセスし得る。
【００６７】
ここで、さらなる詳細は、Ｅメールインターフェイスサーバ１２２に関連する動作要素（ｏｐｅｒａｔｉｏｎａｌ  ｅｌｅｍｅｎｔ）について提供され、その詳細は、ネットワーク１１０とネットワーク１０２との間で、デバイス１０８に対するＥメールを通信するために、デバイス１０８に対してＥメール伝送サービスを提供する、その構成要素および機能に関している。図２を参照すると、Ｅメールインターフェイスサーバ１２２は、Ｅメールをルーティングするメール伝達エージェント（ｍａｉｌ  ｔｒａｎｓｆｅｒ  ａｇｅｎｔ）（ＭＴＡ）を提供し、ネットワーク１１０内のデバイス１０８宛てのメッセージのためのメールサーバを提供する。一般に、Ｅメールインターフェイスサーバ１２２は、Ｅメールサーバ１１４によって処理された、各Ｅメールおよびカレンダメッセージのコピーを提供される。Ｅメールインターフェイスサーバ１２２の例示的な一実装は、ネットワーク１１０を介してＥメールをネットワーク１０２からデバイス１０８に転送する、ＢｌａｃｋＢｅｒｒｙ  Ｉｎｔｅｒｎｅｔ  Ｓｅｒｖｉｃｅ（ＢＩＳ）（商標）を提供する。Ｅメールインターフェイスサーバ１２２の別の例示的な実装は、ＢｌａｃｋＢｅｒｒｙ  Ｅｎｔｅｒｐｒｉｓｅ  Ｓｅｒｖｅｒ（ＢＥＳ）（商標）である。実施形態は、ＢＩＳ、ＢＥＳ、またはＭｉｃｒｏｓｏｆｔ  Ｅｘｃｈａｎｇｅ（商標）サーバなどのその他のサーバの一部分として実装され得る。
【００６８】
Ｅメールインターフェイスサーバ１２２は、通信接続ソフトウェアおよびデータ格納装置を有するコンピュータベースのシステムである。Ｅメールインターフェイスサーバ１２２は、Ｅメールが自動的に（定期的に）符号化されて、デバイス１０８に転送される「プッシュ（ｐｕｓｈ）」プロトコルにおいて、Ｅメールをデバイス１０８に提供し得る。ＢＩＳの動作も同様である。あるいは、Ｅメールインターフェイスサーバ１２２は、そのようなメッセージが、デバイス１０８からの「送信要求」メッセージの受信時にのみ転送される「プル（ｐｕｌｌ）」プロトコルにおいて、Ｅメールをデバイス１０８に提供し得る。Ｅメールインターフェイスサーバ１２２は、Ｅメール処理に関連する以下の構成要素、格納領域２００、規則２０２、（ネットワーク１１０のために追跡されるデバイスに関連する）ユーザリスト２０４および通信モジュール２０６を有する。格納領域２００および（複数の）ユーザリスト２０４は、データベース１２０内でサポートされ得る。規則２０２は、サーバ１２２上で動作するソフトウェアまたはファームウェアにおいて実施され得る。通信モジュールは、一組のファームウェア、ハードウェアおよびソフトウェアモジュールにおいて実施され得る。
【００６９】
格納領域２００は、ローカルユーザに対するローカルメールを格納するために用いられ、メッセージが転送されるプロセスに配置されるように、メッセージの格納のための一時的なサイトを提供する。規則２０２は、特定の条件が、Ｅメールインターフェイスサーバ１２２によって処理されるメッセージまたはアカウントに対して検出される場合に、Ｅメールインターフェイスサーバ１２２に対して一組の所定の作用を提供する。例示的な規則は、管理サーバからのアカウント情報の要求を開始し、応答を評価し、その結果に依存する特定の作用をＥメールに対して提供し得る。その規則は、ソフトウェアにおいて実装され得、格納領域２００は、規則に対する変更を可能にし得る。実施形態に関連する規則についてのさらなる詳細は以下で提供される。格納領域２００は、アカウントに対するステータスフラグに関連するデータをも格納し得る。ユーザのリスト２０４は、Ｅメールインターフェイスサーバ１２２によって管理される、ローカルＥメールのアカウントのデータベースを提供する。
【００７０】
通信モジュール２０６は、Ｅメールインターフェイスサーバ１１２、Ｅメールサーバ１１４と通信するそれのクライアント（例えば、デバイス１０４）との間で、メッセージ、信号およびＥメールの監視、処理および伝達を可能にする、より低いレベルの動作を提供する。
【００７１】
監視モジュール２０８は、通信モジュール２０６内に提供されるか、または通信モジュール２０６と関連づけられ、新しいメッセージがＥメールインターフェイスサーバ１２２と通信するデバイスによって生成されるときに、その新しいメッセージの特定の監視を提供する。
【００７２】
デバイス１０８とＥメールインターフェイスサーバ１２２との間の通信、およびＥメールインターフェイスサーバ１２２とＥメールサーバ１１４との間の通信は、所定のメッセージの生成、伝送、受信および処理を介して、デバイス１０８、Ｅメールインターフェイスサーバ１２２およびＥメールサーバ１１４のそれぞれによって遂行され得る。メッセージは、メッセージが生成される場合に占有される（複数の）設定データフィールドを有し得る。メッセージは、添付物としてＥメールメッセージを含み得る。メッセージは、当業者に公知であるメッセージ通信プロトコルに従うか、または基づき得る。
【００７３】
ここでデバイス１０８に戻ると、Ｅメールインターフェイスサーバ１２２に関連して、Ｅメールインターフェイスサーバ１２２から受信されたＥメールを再び見るために、デバイス１０８は、Ｅメールインターフェイスサーバ１２２から受信された、またはＥメールインターフェイスサーバ１２２に送信されるＥメールを処理するローカルクライアント（ソフトウェア／ファームウェア）アプリケーションを有する。Ｅメールインターフェイスサーバ１２２が、「プッシュ」モードまたは「プル」モードのいずれで動作するかに依存して、クライアントアプリケーションは、どのようにＥメールを受信するか、検索するか、そして処理するかについて影響を受ける。
【００７４】
Ｅメールインターフェイスサーバ１２２が「プッシュ」モードにおいて動作する場合に、Ｅメールは、デバイス１０８によって自動的に受信される。そのようなものとして、クライアントアプリケーションは、デバイス１０８とＥメールインターフェイスサーバ１２２との間でさらなる相互作用を行うことなく、最近のＥメールを選択的に見ることができる。Ｅメールは、デバイス１０８に対して継続的にプッシュされ得、デバイス１０８内のそれらのＥメールへのアクセスのレベルはその後、Ｅメールサービスに対して基礎となるアカウントのステータスを評価することによって制限され、制御され得る。受信されたＥメールへのアクセスのレベルは、Ｅメールに対するアクセスプロパティをデバイス１０８に対して規定し得る。それらのアクセスプロパティは、例えば、Ｅメールが、読まれ得る（または読まれ得ない）か、返信され得る（または返信され得ない）か、転送され得る（または転送され得ない）か、見られ得るのみか、概要リスト（ｓｕｍｍａｒｙ  ｌｉｓｔ）においてのみ見られ得るかなど、またはそのようなアクセスプロパティの任意の組合せか否かを含んでいる。アクセス制限は、アクセスプロパティの任意の１つまたは任意の組合せを含み得る。アカウントがアクティブでない場合、デバイス１０８上にローカルに格納されたＥメールは、特定の構成において、見られ得ず、Ｅメールについての制限された詳細のみが、デバイス１０８によってアクセス可能にされ得る。例えば、Ｅメールの概要（送信者、タイトル、時間、添付物など）のみが、デバイス１０８上のＧＵＩ内のＥメール概要リストにおいて提供され得る。
【００７５】
Ｅメールインターフェイスサーバ１２２が「プル」モードにおいて動作する場合、サーバ１２２は、デバイス１０８に宛てられた外部メッセージを受信し、それらの外部メッセージをデバイス１０８に自動的に転送することなく、それらを格納する。デバイス１０８が、待ち行列に入った（ｑｕｅｕｅｄ）そのようなメッセージをＥメールサーバ１２２から引き出すために、デバイス１０８は、それに提供されるべきそのようなメッセージを要求しなければならない。そのようなものとして、デバイス１０８が、そのようなＥメールを引き出すことを望む場合に、デバイス１０８上で動作するクライアントアプリケーションは、待ち行列に入ったＥメールのコピーをデバイス１０８に送信するために、Ｅメールサーバ１２２に対して要求を開始する。Ｅメールインターフェイスサーバ１２２は、デバイス１０８の検討および処理のために、待ち行列に入ったＥメールをデバイス１０８に送信することによって応答する。一旦待ち行列に入ったＥメールがデバイス１０８にダウンロードされると、一実施形態は、基礎となるアカウントのステータスにかかわらず、デバイス１０８がダウンロードされたＥメールにアクセスすることを可能にする。別の実施形態は、アカウントがアクティブでない場合、アカウントのためにデバイス１０８内でローカルに格納されたデータに対するアクセスを動的に制御し得る。実施形態に従ってデータおよびサービスをデバイス１０８に対して提供するために、実施形態が、「プッシュ」プロトコルまたは「プル」プロトコルのいずれかを用い得ることは認識される。ハイブリッドのプロトコルもまたあり得る。
【００７６】
デバイス１０８のためのアカウントに対するデータまたはサービスへのアクセスは、実施形態に従って、アクセスの様々なレベルの１つとして実装され得る。
【００７７】
一実施形態において、一旦データがデバイスにプッシュされると、デバイスは、制限なしに（または、小さな制限によって）データを見て、かつ該データを用いることが可能となり得る。しかし、アカウントのステータスが、関連したサービスへのデバイス１０８によるアクセスが制限されることを示す場合、通知が生成され得、サービスによって提供されたデータに関連する追加のコマンドまたはアクセスは、制限され得る。例えば、休止状態にあるＥメールアカウントに対して、以前に受信されたＥメールは見られ得る。しかし、アカウントが休止状態にあり続ける間、それと関連したさらなる作用（例えば、応答を送信すること）は、禁止され得る。別の実施形態において、デバイスのＥメールアカウントが休止状態になる場合、以前にダウンロードされたメッセージは、制限され得る。アカウントが再起動される場合に、アクセスは再起動され得る。
【００７８】
別の実施形態において、データは、基礎となるアカウントのステータスにかかわらず、デバイスに対して継続的にプッシュされる。しかし、デバイス１０８がＥメールを見ることを試みる場合に、その時点で、アカウントのステータスはチェックされる。（あるいは、メッセージは、アカウントのステータスにおける変化の際に、ネットワークからデバイス１０８に自動的に送信され得る）。デバイス１０８が、そのローカルに格納された（複数の）Ｅメールにアクセスすることを試みるときに、アカウントが起動している場合、アクセスが、格納された（複数の）Ｅメールに対して提供される。アカウントが休止状態にあるか、制限されるか、または禁止される場合、通知が提供され得、Ｅメールに関連する追加のコマンドまたはアクセスは、制限され得る。アカウントが再起動される場合に、アクセスは、完全にまたは部分的に再起動され得る。Ｅメールまたはサービスに対して、いつアクセスが提供されるかを決定する上での他の変更は、提供され得る。
【００７９】
アカウントのステータスの認識と、デバイスに対するアカウントの関連したサービスまたはデータへのアクセスのレベルの認識との協調は、メッセージまたはステータスフラグの生成および交換を介して、サービスへのアクセスを制御するサーバとデバイスとの間で達成され得る。
【００８０】
ここでさらなる詳細は、デバイス１０８によってＥメールを処理し、転送し、アクセスする場合に、デバイス１０８のためのＥメールサービスに対する基礎となるアカウントのステータスを評価し、伝送し、使用するための方法を例示する実施形態に対して提供される。別の実施形態に従って本明細書中に記載されるように、その他のサービス（例えば、インターネットアクセス、ＳＭＳメッセージングリモートデータアクセスなど）へのアクセスもまた、類似の手法で制御され得ることが認識される。
【００８１】
あまねく、実施形態は、デバイス１０８に対するアカウント（例えば、Ｅメールアカウント）のステータスを追跡する。この追跡は、デバイス１０８およびＥメールインターフェイスサーバ１２２において、１つ以上のプロセスおよびステータスフラグを用い、アクセスすることによって実装され得る。アカウントのステータスが、アカウントは起動している（すなわち良好な状態にある）ことを示す場合、デバイス１０８がＥメールに対する要求を起動するか、またはアウトバウンドのＥメールに対する送信コマンドを開始するときに、コマンドまたは要求は、継続することを可能にされる。しかし、ステータスが、アカウントが失効であるか、またはさもなければ支払い遅延にあることを示す場合、コマンドまたは要求は、好適には自動的に開始されない。その状況において、通知は、デバイス１０８のディスプレイ上に生成され得、アカウントが失効であるか、または支払い遅延にあることを示す。通知は、ディスプレイ上に生成されたＧＵＩ内のメッセージを有するウィンドウとして提供され得る。アカウントが再起動されるか、またはなんらかの方法で拡張されるように認可される場合、通知は、デバイス１０８がコマンドをその後に実行することを可能にするために、ユーザに対してオプションを提供し得る。同様な監視プロセスは、他のデータサービス（例えば、ウェブアクセス、Ｒｅａｌｌｙ  Ｓｉｍｐｌｅ  Ｓｙｎｄｉｃａｔｉｏｎ（ＲＳＳ）配信フォーマット）などに対して提供され得る。
【００８２】
管理サーバ、Ｅメールインターフェイスサーバ１２２およびデバイス１０８の間で、アカウントについてのステータス情報を通信し、調整することが有用であることは認識される。このステータスを通信するための２つの例示的なメカニズムは、ステータスフラグまたはセマフォを介することである。１つ以上のステータスフラグ（例えば、「アカウントはアクティブである」フラグ）が埋め込まれるか、またはＥメールインターフェイスサーバ１２２とデバイス１０８との間に送信されるデータ通信に添付し得る。そのようなものとして、ＥメールメッセージがＥメールインターフェイスサーバ１２２からデバイス１０８に送信されている場合に、追加のステータスフラグは、メッセージに添付し得る。さらに、Ｅメールインターフェイスサーバ１２２は、アカウントステータスメッセージ（例えば、アクティブ／アクティブでない）をデバイス１０８に対して定期的に送信し得る。デバイス１０８によって受信された任意の（アカウント）ステータスフラグまたはメッセージは、デバイス１０８のローカルなＥメール（または、データアクセス）アプリケーションを介して、デバイス１０８によって可能性としては抽出され、可能性としては格納され、かつ解釈される必要がある。
【００８３】
ステータスフラグが、プロトコルによって、グローバルな効果またはローカルな効果を有するように設定され得ることは認識される。フラグが、グローバルな効果を有するように規定される場合、プロトコルは、フラグの値が他のいかなる状態インジケータに対しても取って代ることを指図し得る。そのようなものとして、デバイス１０８が、グローバルなステータスフラグを受信する場合、そのフラグの値は、すべてのサービスの処理を支配し得る。あるいは、ステータスフラグが、ローカルな効果を有するように設定される場合、プロトコルは、フラグの値が、Ｅメール、ＳＭＳメッセージングまたはインターネットアクセスなどの特定の組のサービス（またはメッセージ）のみに関連づけられることを指図し得る。このことは例えば、ステータスフラグがデバイス１０８に転送されるＥメールメッセージにおいて提供される場合に、実装され得る。そのような実施例において、プロトコルは、そのフラグの値が、可能性としてはグローバルなフラグにもかかわらず、そのメッセージの処理を支配するように用いられることを指図し得る。ステータスフラグを評価する場合に、追加のデータ（例えば、タイムスタンプデータ、位置データまたはその他の情報）は、サービスへのアクセスを可能にするか否かについての最終的な決定をするために用いられ得る。
【００８４】
実施形態に対する一実施例において、デバイス１０８は、ステータスフラグまたはメッセージにおけるステータス情報を以下のように用い得る。デバイス１０８上のコマンドが、Ｅメールメッセージを受信または送信するために開始される（または、他のデータサービスを起動する）場合、コマンドを開始する前に、デバイス１０８上で動作するローカルアプリケーションは、Ｅメールサービスと関連したアカウントに対するアカウントステータス情報を要求するか、検討し得る。アカウントステータスの指示に依存して、デバイス１０８は、コマンドが開始されることを可能にし得るか、または可能にし得ない。
【００８５】
アカウントが失効しているか、またはアクティブでないことをステータスが示す場合に、通知は、デバイス１０８上に提供され得る。実施形態に従って生成されたデバイス１０８上の例示的な通知が、図３Ａ〜図３Ｃにおいて示される。まず、図３Ａにおいて、Ｅメールリスト３００が、デバイス１０８のディスプレイ上のＧＵＩ内で示される。本実施例に対して、アカウントは失効しており、そのユーザ「Ａ」は、デバイス１０８と関連づけられるアカウントの保有者である。通知画面３０２は、ユーザがＥメール３０４（囲まれた、選択３０４として図示される）を起動することを試みる場合に、Ｅメール３０４に関連づけられたステータスフラグが、アカウントが（この実施例に対して）失効していた場合に、Ｅメール３０４がデバイス１０８に送信されたことを示すとき、生成される。画面３０２は、オプション３０６のコマンドを提供し、このオプション３０６は、アカウントを無制限のアカウントに拡張することと、アカウントを月極めのアカウントに拡張することと、アカウントを使用毎のアカウントに拡張することと、そしてキャンセルコマンドとを含んでいる。アカウントに対するその他のオプションが、提供され得る。任意の再起動オプション３０６がＧＵＩ選択インターフェイスを介して選択される場合、デバイス１０８は、オプションを認識し、メッセージをＥメールインターフェイスサーバ１２２に送信して、要求されたレベルによってアカウントを再起動する。Ｅメールに対するステータスフラグは、Ｅメールインターフェイスサーバ１２２上またはデバイス１０８上で動作するプロセスによってアップデートされ得る。一旦ステータスがリセットされると、選択されたＥメールへのさらなるアクセスまたは完全なアクセスが、提供され得る。図３Ｂにおいて、デバイス１０８のユーザは、ＧＵＩウィンドウ３０８に従って、新しいアウトバウンドのＥメールメッセージを作成するためにデバイス１０８上のプロセスを開始する。アカウントが失効しているので、通知３０２と同様なオプションのリストを有する、通知３１０が生成される。図３Ｃにおいて、デバイス１０８の使用は、ウィンドウ３１２によるデータサービスとしてインターネットにアクセスするためにＵＲＬに対する要求を開始する。通知は、（任意のＵＲＬを含む）特定のＵＲＬまたは特定のＵＲＬカテゴリが、入力される場合に、生成され得る。同様に、通知は、任意の所定のリモートデータの要求に対しても生成され得る。また、アカウントが失効しており、通知３１４は、通知３０２と同様なオプションのリストを有して、生成される。
【００８６】
図３Ａ〜図３Ｃに加えて、表Ａは、サービスに対するそのアカウントが失効している場合に、外部データサービスのためのコマンドが要求されているときに、生成され得る例示的な通知の網羅ではないリストを提供する。
【００８７】
【表１】
2009129464.tif 000003
デバイス１０８上に生成された通知の中から選択がなされる場合に、その選択を知らせるメッセージが、デバイス１０８からＥメールインターフェイスサーバ１２２に提供され得る。追加のメッセージは、他のイベント（例えば、デバイス１０８上の新しいＥメールの生成または（データまたは音声）サービスの要求）の際に、生成され、Ｅメールインターフェイスサーバ１２２に送信され得る。通知は、要求されているサービスのタイプ、デバイス１０８によって追跡された時間および現在のアカウントステータスを含み得る。適切であると考えられる場合、Ｅメールインターフェイスサーバ１２２は、このデータを分析し、さらなる作用をし得る。
【００８８】
通知からの選択が、サービスに対するアカウントを拡張または変更するようになされる場合、メッセージは、デバイス１０８、Ｅメールインターフェイスサーバ１２２および管理サーバ間で生成され、送信され、受信され、作用され得、アカウントのステータスをアップデートし、要求されたサービスへのアクセスを可能にする。
【００８９】
通知からの選択が、サービスに対して関連するアカウントを拡張する場合、デバイス１０８は、Ｅメールインターフェイスサーバ１２２にメッセージを送信し得、そのメッセージは、アカウントに対して選択された拡張のタイプについての詳細を提供する。Ｅメールインターフェイスサーバ１２２がメッセージを受信する場合に、Ｅメールインターフェイスサーバ１２２は、管理サーバの記録をアップデートするために、さらなるメッセージを管理サーバに送信し得る。管理サーバはついで、その記録をアップデートし、Ｅメールインターフェイスサーバ１２２に確認メッセージを送信し得る。確認メッセージは、実際に実装された拡張／変更のタイプに対して、管理サーバによってなされた任意の改正を含み得る。それから、Ｅメールインターフェイスサーバ１２２は、その記録およびステータスフラグを検討し、アップデートされたステータスフラグおよび／または（アップデートされたステータスフラグとともに前に送信されたＥメールを含む）置換メッセージをデバイス１０８に送信し得る。デバイス１０８がアップデートされたステータスフラグを受信する場合に、デバイス１０８は、Ｅメールインターフェイスサーバ１２２から提供されたアカウント拡張のパラメータに依存して、選択的にサービス（Ｅメール）へのアクセスを可能にし得る。サーバ１２２が「プッシュ」プロトコルで動作する場合、前にプッシュされたサービスおよびデータ（Ｅメール）は、アカウントの現在のステータスに従って、それらのアクセスをアップデートさせ得るか、またはアップデートさせ得ない。サーバ１２２が「プル」プロトコルで動作する場合、デバイス１０８は、アカウントがアクティブであるときのみ、サービスおよびデータ（Ｅメール）を提供され得る。
【００９０】
さらなる詳細はここで、図４Ａおよび図４Ｂにおいて示され、これらの図は、受信Ｅメールの監視の間に、Ｅメールインターフェイスサーバ１２２上で実行され得る２つの例示的なプロセスに関連しており、（上述されたような）ローカルなステータスフラグおよびグローバルなステータスフラグの実施例を表す。
【００９１】
図４Ａにおいて、アカウントステータスに対する「ローカルな」ステータスフラグは、各Ｅメールと関連づけられる。開始４００の後に、ステップ４０２においてＥメールインターフェイスサーバ１２２は、アカウントのステータスをチェックする。これは、アカウントステータス要求コマンドを管理サーバに送信することを伴い得る。アカウントステータス情報が、Ｅメールインターフェイスサーバ１２２に戻されると仮定すると、デバイス１０８宛てのＥメールが受信される場合に、ステップ４０４において、受信されたＥメールは、ネットワーク１１０のプロトコルによって伝送パッケージ内にバンドルされ、アカウントステータスフラグの値は、パッケージ内に組込まれる。プロセスは、無限ループ内にあり得るか、あるいは割込みルーチンまたはその他のプログラミング技法として実装され得る。
【００９２】
図４Ｂにおいて、アカウントステータスに対する「グローバルな」ステータスフラグが提供される。開始４００の後に、ステップ４０２ＢにおいてＥメールインターフェイスサーバ１２２は、アカウントのステータスをチェックする。これは、アカウントステータス要求コマンドを管理サーバに送信することを伴い得る。アカウントステータス情報が、Ｅメールインターフェイスサーバ１２２に戻されると仮定すると、ステップ４０４Ｂにおいて、メッセージは、生成され、ネットワーク１１０のプロトコルによる伝送パッケージにおいてデバイス１０８に送信される。プロセスは、無限ループ内にあり得るか、または割込みルーチンとして実装され得る。
【００９３】
図５は、サービスに対する要求が、図４Ａまたは図４Ｂのいずれかに示すようなプロトコルによってデバイス１０８上で開始される場合に、デバイス１０８上で動作する、作用を決定するプロセスの記載を提供する。上記されたように、サービスと関連づけられるアカウントのステータスは、サービスまたはデータに対する要求の一部分として好適には決定される。図４Ａおよび図４Ｂにおけるプロセスのように、Ｅメールインターフェイスサーバ１２２は、デバイス１０８へのメッセージを介して、デバイス１０８にステータス情報を提供する。デバイス１０８において、開始ステップ５００の後、デバイス１０８は、ステップ５０２において（データ）サービスに対するアクセスを要求するコマンドの起動を待つ。コマンドが開始された後、ステップ５０４において、アカウントフラグのステータスがチェックされる。このことは、（図４Ａおよび図４Ｂのように）グローバルなアカウントステータスフラグまたはローカルなアカウントステータスフラグを評価することを伴い得、（上述されたように）ネットワーク１１０によって提供されるステータスフラグプロトコルに依存する。アカウントが、アクティブであると決定される場合、ついでステップ５０６において、サービスが、デバイス１０８上に提供される。アカウントがアクティブでない場合、ついでステップ５０８において、通知が、デバイス１０８上に生成される。通知は、図３Ａ〜図３Ｃにおいて提供された通知の任意の形式をとり得、開始されるサービスに依存する。任意のオプションが通知から選択される場合、そのオプションは、ステップ５１０において実装される。上記されたように、オプションがアカウントを拡張する要求を含む場合、一旦アカウントが拡張されると、サービスに対するアクセスが提供され得る。プロセスは、繰り返しループまたは割込みルーチンとして、ソフトウェアまたはファームウェアにおいて実装され得る。一実施形態において、アカウントが失効しているか、またはアクティブでないという決定において、通知が提供されることは認識される。通知はまた、アカウントがまさに失効になるか、またはアクティブでなくなるときに、提供され得る。アクティブでないことは、サービスを提供するネットワークと関連し、場所、年齢の条件またはその他の条件あるいはデバイスの状態であり得る。例えば、ローミング環境において、ネットワーク１１０に対するデバイス１０８による通信信号が、所定のしきい値より下がる場合に、アカウントは、起動しないように設定され得る。
【００９４】
アカウントの再起動の際に、整合性（ｃｏｎｓｉｓｔｅｎｃｙ）チェックは、Ｅメールインターフェイスサーバ１２２が「プッシュ」または「プル」プロトコルのいずれで動作するかと、ステータスフラグが、効果において「グローバルである」および／または「ローカルである」か否かとに部分的に依存して、デバイス１０８において前に受信された任意のＥメールが、それらのアカウントステータスフラグをアップデートさせる必要があるか否か、あるいは追加のＥメールが、Ｅメールインターフェイスサーバ１２２から引き出されるべきであるか、を決定するために実行され得る。
【００９５】
図４Ａ、図４Ｂおよび図５において示されるプロセスが、デバイス１０８とＥメールインターフェイスサーバ１２２との間のサービスに対する要求を処理するための例示的な方法を例示することは認識される。その他の実施形態において、いくつかのステップがさまざまな順序で遂行され得、追加のステップが提供され得るか、またはいくつかのステップが削除され得る。同様なプロセスまたは均等なプロセスは、状態図において表現され得る。なおさらに、別の実施形態において、Ｅメールインターフェイスサーバ１２２およびデバイス１０８に対して上述されたような、Ｅメールの受信、追跡および処理におけるプロセスと、それに関連した任意の通知とは、単一のシステムまたはデバイス（例えば、サーバと通信するクライアントシステムとして単独で実装されるシステムまたはデバイス）上、スタンドアローンコンピュータ上またはデバイス１０８上において実装され得る。
【００９６】
実施形態の機能は、その他のタイプのネットワークに対して実装され得る。例えば、デバイス１０８がセル式電話として実装され、ネットワーク１２８がＧＳＭネットワークとして実装される場合に、実施形態は、アカウントの特定のＧＳＭサービスが、デバイス１０８によってアクセスされる（または、アクセスされることを試みられる）ときに、特定のメッセージおよび／または通知の生成を開始し得る。さらに、コンテンツまたは通知の発行は、アカウントのステータスに依存し得る。通知が１つのアカウント（または１つのアカウントの１つの部分）に対して生成される場合に、デバイスは、そのアカウントまたはその他のアカウントに対する、その他のサービスまたはメッセージに課された制限を有し得るか、または有し得ない。
【００９７】
一実施形態に対するＧＳＭネットワークの実施例を続けると、ＡＰ１２６Ｂは、ネットワーク１２８への「下り（ｄｏｗｎｓｔｒｅａｍ）」に接続される（ここでは、インターネット１０６として示される）サービスに対するゲートウェイとして作用し得る。ＧＳＭネットワークに対して当該分野で公知であるように、ＡＰ１２６Ｂは、メッセージを介してデバイス１０８と通信して、デバイス１０８に接続されたＳＩＭカードのコンテンツを決定し得る。ＡＰ１２６Ｂは、図２に例示されたようなＥメールサーバ１２２と同様な構成要素およびモジュールを有し得る。
【００９８】
例示的なＧＳＭ構成において、ＡＰ１２６Ｂを介してネットワーク１２８に提供される外部サービスは、ＡＰ１２６Ｂがデバイス１０８と交信し、デバイス１０８と関連づけられたＳＩＭカード内に格納されたデータに従って、デバイス１０８と関連づけられたアカウントを評価した後にのみ、ネットワーク１２８内のデバイス１０８に対して提供される。そのようなものとして、デバイス１０８が、ネットワーク１２８を介して処理された最近受信されたＥメールを要求することを開始される場合に、一実施形態において、デバイス１０８上のクライアントアプリケーションは、待ち行列に入ったＥメールのコピーをデバイス１０８に送信することを、ＡＰ１２６Ｂに対して要求するメッセージを生成する。ＡＰ１２６Ｂは、デバイス１０８のＳＩＭカード内に格納されたアカウントのステータスをチェックする。アカウントが有効で、かつアクティブの場合、ＡＰ１２６Ｂは、待ち行列に入ったＥメールをデバイス１０８に送信し得る。アカウントに関連するステータスメッセージもまた、送信され得る。上記されたように、一旦ダウンロードされると、関連するアカウントがその後に起動されていないにもかかわらず、待ち行列に入ったＥメールは見られ得る。しかし、アカウントが有効でないか、またはアクティブでない場合、ＡＰ１２６Ｂは、待ち行列に入ったＥメールをデバイス１０８に送信しないことによって応答し得、アカウントがアクティブでないというステータスフラグまたはメッセージを送信し得る。追加または代替として、待ち行列に入ったＥメールの概要リストは、送信され得るか、または待ち行列に入ったＥメールは、各Ｅメールに対してアカウントが「アクティブでない」（など）としてマークをつけるステータスフラグとともに送信され得る。グローバルなステータスフラグまたは受信されたＥメールのステータスフラグの検討の際に、アカウントが「アクティブでない」として注意される場合、デバイス１０８は、図３Ｂまたは図３Ｃにおいて提供されたような通知を生成し得、Ｅメールに対する制限されたアクセスを提供され得る。その後、デバイス１０８から提供される任意の応答は、アカウントを再起動する要求を含み、ＡＰ１２６によってさらに処理され得る。応答の性質に依存して、アカウントは復旧され得、待ち行列に入ったＥメールは、その後デバイス１０８にダウンロードされ得、それらのステータスフラグはリセットされ、かつ／またはＥメールへのアクセス制限は削除され得る。
【００９９】
記載された一実施形態に関連するプロセスおよびＧＵＩによって、さらなる詳細はここで、実施形態と関連するプロセスに関連するデバイス１０８の構成要素について提供される。図６を参照すると、電子デバイス１０８は、セル式電話機能およびＥメール機能を伴う強化された携帯情報端末の機能性を有するコンピューティングプラットホームに基づいている。しかし、電子デバイス１０８が、電話通信機器を有する、スマートテレフォン（ｓｍａｒｔ  ｔｅｌｅｐｈｏｎｅ）、デスクトップコンピュータ、ポケットベルまたはラップトップコンピュータなどの、その他の電子デバイスの構造設計および機能性に基づき得ることは理解されるべきである。本実施形態において、電子デバイス１０８は、筐体６００、ＬＣＤ６０２、スピーカ６０４、ＬＥＤインジケータ６０６、トラックボール６０８、ＥＳＣ（「エスケープ」）キー６１０、キーパッド６１２、イヤーバッド（ｅａｒ  ｂｕｄ）６１４およびマイクロホン６１６からなる電話機ヘッドセットを含む。トラックボール６０８およびＥＳＣキー６１０は、デバイス１０８に追加の入力を提供する手段として内方へ押し下げられ得る。ＥＳＣキー６１０は、矢印「Ａ」の経路に沿って押し下げられ得る。
【０１００】
筐体６００は、当業者に想起されるような任意の適切な材料から作られ得、デバイス１０８のすべての構成要素を収容および保持するように適切に形成され得ることは理解される。
【０１０１】
デバイス１０８は、任意の公知の無線電話システム（例えば、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）システム、符号分割多元接続（ＣＤＭＡ）システム、ＣＤＭＡ２０００システム、Ｃｅｌｌｕｌａｒ  Ｄｉｇｉｔａｌ  Ｐａｃｋｅｔ  Ｄａｔａ（ＣＤＰＤ）システムおよび時分割多元接続（ＴＤＭＡ）システム）を用いて、無線電話の通話を遂行するように動作可能である。その他の無線電話システムは、ブルートゥースおよび音声をサポートする８０２．１１の無線ブロードバンド（例えば、８０２．１１ａ、８０２．１１ｂ、８０２．１１ｇなど）の多くの形式を含み得る。他の実施形態は、回線交換式電話の通話をシミュレーションし得る、Ｖｏｉｃｅ  ｏｖｅｒ  ＩＰ（ＶｏＩＰ）タイプのストリーミングデータ通信を含む。イヤーバッド６１４は、電話の通話およびその他のサウンドメッセージを聞くために用いられ得、マイクロホン６１６は、デバイス１０８に話しかけ、サウンドメッセージを入力するために用いられ得る。
【０１０２】
図７を参照すると、デバイス１０８の機能構成要素は、概略図７００において提供される。機能構成要素は、概して電子的、構造的または電気機械的デバイスである。特に、マイクロプロセッサ７０２は、デバイス１０８と関連したほとんどすべてのデータ、伝送、入力および出力を制御し、受信するために提供される。マイクロプロセッサ７０２は、キーパッド６１２およびその他の内部デバイスに連結されるように概略的に示される。マイクロプロセッサ７０２は好適には、デバイス１０８およびその構成要素の動作全体を制御する。マイクロプロセッサ７０２のための例示的なマイクロプロセッサは、Ｄａｔａ９５０（商標）シリーズ、６２００シリーズおよびＰＸＡ９００シリーズ（すべて一度にＩｎｔｅｌ  Ｃｏｒｐｏｒａｔｉｏｎから入手可能）内のマイクロプロセッサを含む。マイクロプロセッサ７０２は、その様々な入力ピンおよび出力ピンとの一連の電気的接続を介して、デバイス１０８内のその他の要素に接続される。マイクロプロセッサ７０２は、様々なデバイスからの信号を受信することを可能にする、ＩＲＱ入力ラインを有する。ＩＲＱライン上で検出される信号を受信し、その信号に応答する、適切な割込みファームウェアが提供される。
【０１０３】
マイクロプロセッサ７０２に加えて、デバイス１０８のその他の内部デバイスは、図７において概略的に示される。これらの内部デバイスは、ディスプレイ６０２、スピーカ６０４、キーパッド６１２、通信サブシステム７０４、短距離通信サブシステム７０６、補助Ｉ／Ｏデバイス７０８、シリアルポート７１０、マイクロホン６１６のためのマイクロホンポート７１２、フラッシュメモリ７１４（実施形態によって用いられるステータスフラグに関連するローカルデータを含むデータの持続的な格納を提供する）、ランダムアクセスメモリ（ＲＡＭ）７１６、クロック７１８およびその他のデバイスサブシステム（図示されない）を含む。デバイス１０８は、好適には音声通信能力およびデータ通信能力を有する双方向無線周波数（ＲＦ）通信デバイスである。さらに、デバイス１０８は好適には、インターネットを介して他のコンピュータシステムと通信する機能を有する。デバイス１０８は、ＳＩＭカード（図示されない）を有し得る。
【０１０４】
マイクロプロセッサ７０２によって実行されるオペレーティングシステムソフトウェアは、好適にはコンピュータ読取り可能な媒体（例えば、フラッシュメモリ７１４）内に格納されるが、その他のタイプのメモリデバイス（例えば、読取り専用メモリ（ＲＯＭ）または同様な格納要素）内に格納され得る。さらに、システムソフトウェア、特定のデバイスアプリケーション、またはそれらの一部は、揮発性格納装置（例えば、ＲＡＭ７１６）内へと一時的にロードされ得る。モバイル機器によって受信される通信信号もまた、ＲＡＭ７１６に格納され得る。
【０１０５】
マイクロプロセッサ７０２は、そのオペレーティングシステム機能に加えて、デバイス１０８上のソフトウェアアプリケーションの実行を可能にする。一組のソフトウェア（またはファームウェア）アプリケーションは、概して基本のデバイス動作を制御するアプリケーション７２０（例えば、音声通信モジュール７２０Ａおよびデータ通信モジュール７２０Ｂ）として識別され、デバイス１０８上に製造の間にインストールされるか、またはその後ダウンロードされ得る。同様に、ソフトウェアモジュール７２０Ｎのような追加のソフトウェアモジュール（これは、例えばパーソナル情報マネジャー（ＰＩＭ）アプリケーションであり得る）は、製造の間にインストールされるか、またはデバイス１０８内にその後ダウンロードされ得る。各アプリケーションと関連づけられるデータは、フラッシュメモリ７１４内に格納され得る。
【０１０６】
図３Ａ〜図３Ｃおよび図５（および本明細書中に記載されたそれらの変形）において提供され、記載されたように、データ通信モジュール７２０Ｂは、デバイス１０８のための機能、プロセスおよびアプリケーションを実装するプロセスを含み得、それらのプロセスは、デバイス１０８に対して、任意のステータスフラグの軌跡（ｔｒａｃｋ）を生成し、失効したアカウントに対するサービス要求が開始される場合に、通知画面を生成することを可能にする。
【０１０７】
データ通信および音声通信を含む通信機能は、通信サブシステム７０４および短距離通信サブシステム７０６を介して実行される。集合的に、サブシステム７０４および７０６は、デバイス１０８によって処理されるすべての通信技術に対する信号レベルのインターフェイスを提供する。様々なアプリケーション７２０は、さらに通信を処理し、かつログ（ｌｏｇ）をとるために、動作上の制御を提供する。通信サブシステム７０４は、受信器７２２、送信器７２４および（受信アンテナ７２６および送信アンテナ７２８として例示される）１つ以上のアンテナを含む。さらに、通信サブシステム７０４はまた、処理モジュール（例えば、デジタル信号プロセッサ（ＤＳＰ）７３０）およびローカルオシレータ（ＬＯ）７３２を含む。通信サブシステム７０４の特定の設計および実装は、デバイス１０８が動作することを意図される通信ネットワークに依存する。例えば、デバイス１０８の通信サブシステム７０４は、Ｍｏｂｉｔｅｘ（商標）、ＤａｔａＴＡＣ（商標）またはＧｅｎｅｒａｌ  Ｐａｃｋｅｔ  Ｒａｄｉｏ  Ｓｅｒｖｉｃｅ（ＧＰＲＳ）モバイルデータ通信ネットワークと動作し、さらに任意のさまざまな音声通信ネットワーク（例えば、Ａｄｖａｎｃｅｄ  Ｍｏｂｉｌｅ  Ｐｈｏｎｅ  Ｓｅｒｖｉｃｅ（ＡＭＰＳ）、時分割多元接続（ＴＤＭＡ）、符号分割多元接続（ＣＤＭＡ）、ＣＤＭＡ２０００、パーソナルコミュニケーションサービス（ＰＣＳ）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）など）とも動作し得る。別個および組込まれた両方の、その他のタイプのデータおよび音声（電話による）ネットワークもまた、デバイス１０８によって利用され得る。いかなる場合でも、通信サブシステム７０４は、デバイス１０８に対して、様々な通信技術（インスタントメッセージング（ＩＭ）システム、テキストメッセージング（ＴＭ）システムおよびショートメッセージサービス（ＳＭＳ）システムを含む通信技術）を用いるその他のデバイスと通信する能力を提供する。
【０１０８】
通信信号を処理することに加えて、ＤＳＰ７３０は、受信器７２２および送信器７２４の制御を提供する。例えば、受信器７２２および送信器７２４内の通信信号に適用されるゲインは、ＤＳＰ７３０内に実装された自動的なゲイン制御アルゴリズムを介して、適応的に制御され得る。
【０１０９】
データ通信モードにおいて、受信された信号（例えば、テキストメッセージまたはダウンロードされたＷｅｂページ）は、通信サブシステム７０４によって処理され、マイクロプロセッサ７０２に対する入力として提供される。受信された信号はついで、ディスプレイ６０２または補助Ｉ／Ｏデバイス７０８に対する出力を生成し得る、マイクロプロセッサ７０２によってそれからさらに処理される。デバイスのユーザはまた、キーパッド６１２、トラックボール６０８および／または任意のその他の補助Ｉ／Ｏデバイス７０８（例えば、タッチパッド、ロッカースイッチまたは任意のその他の入力デバイス）を用いて、データアイテム（例えば、電子メールメッセージ）を作成し得る。作成されたデータアイテムは、ついで通信サブシステム７０４を介して通信ネットワーク１１０上に伝送され得る。サブシステム７０４はまた、そのリモートシステムに対して通信範囲外にある場合に、検出し得る。
【０１１０】
音声通信モードにおいて、デバイス１０８の動作全体は、受信された信号がスピーカ６０４に出力され、伝送のための信号がマイクロホン６１６によって生成されることを除いて、実質的にデータ通信モードに類似している。代替の音声Ｉ／ＯサブシステムまたはオーディオＩ／Ｏサブシステム（例えば、音声メッセージ記録サブシステム）もまた、デバイス１０８上に実装され得る。さらに、ディスプレイ６０２はまた、例えば、発信者の識別、音声通話の継続時間、またはその他の音声通話に関連する情報を表示するために、音声通信モードにおいて利用され得る。
【０１１１】
短距離通信サブシステム７０６は、デバイス１０４と、その他の最も近いシステムまたは（必ずしも同様なデバイスである必要がない）デバイスとの間の通信を可能にする。例えば、短距離通信サブシステムは、赤外線デバイスならびに関連づけられる回路および構成要素、またはブルートゥース（商標）通信モジュールを含み得、同様に通信可能にされたシステムおよびデバイスとの通信を提供する。
【０１１２】
モバイルハンドヘルド通信デバイスの電子機器全体に電源を供給するのは、電源７３４である。一実施形態において、電源７３４は、１つ以上のバッテリを含む。別の実施形態において、電源７３４は、単一のバッテリパック、特に再充電可能なバッテリパックである。電源スイッチ（図示されない）は、デバイス１０８に対して「オン（ｏｎ）／オフ（ｏｆｆ）」切り替えを提供する。電源インターフェイス（図示されない）は、ハードウェア、ファームウェア、ソフトウェアまたはそのような要素の組合せにおいて提供され得、デバイス１０８内の構成要素の電源７３４に対するアクセスを選択的に制御する。電源スイッチの起動の際に、アプリケーション７２０は、デバイス１０８をオンにするように開始される。電源スイッチの起動解除の際に、アプリケーション７２０は、デバイス１０８をオフにするように開始される。デバイス１０８への電力はまた、その他のデバイスおよびソフトウェアアプリケーション７２０によって制御され得る。デバイス１０８内のその他の構成要素は、ＧＰＳモジュール７４０および光センサ７４２を含む。
【０１１３】
実施形態は、Ｅメール通信システムを実装するシステムに対して記載されてきた。しかし、他の実施形態が、任意の通信プロトコルまたは通信システム（Ｅメール、メッセージング、テキストメッセージ、電話の通話、セル式電話の通話、および通信が作成または送信されているその他の通信プラットホームを含む）において機能を実装し得、それらが到着するときに、関連する、インバウンドの通信についての情報を取得することが有用であり、特に、それらがアウトバウンドの通信に関連する場合に有用であることは認識される。本明細書中に記載されたようなＥメールインターフェイスサーバの任意の機能が、Ｅメールサーバおよび／またはインターフェイスサーバ内に組込まれ得ることは認識される。デバイスに関連して本明細書中に記載されたようなＥメール（または、それの離別する）の処理および表示に関連する任意の機能が、Ｅメールインターフェイスサーバ内に組込まれ得ることは認識される。
【０１１４】
デバイス、サーバおよびシステムに関連する実施形態が、電子的ハードウェア、ファームウェアおよびソフトウェアの組合せにおいて実装され得ることは認識される。ファームウェアおよびソフトウェアは、本明細書中に記載された機能性を提供する一連のプロセスおよび／またはモジュールとして実装され得る。割込みルーチンは、用いられ得る。データは、本明細書中に記載された揮発性デバイスおよび不揮発性デバイス内に格納され、ハードウェア、ファームウェアおよび／またはソフトウェアによってアップデートされ得る。その他のネットワークの実施形態は、通信の管理に対して非クライアントサーバアーキテクチャを用い得る。
【０１１５】
１つのサービスがアカウントに対して制限される場合、その他のサービスも制限され得るか、または制限され得ないことはさらに認識される。代替または追加として、１つのアカウントに対するアクセスが制限される場合、その他の制限が、そのアカウントの他のアカウントまたは部分に課され得る。実施形態が、通信の他の形式（例えば、ＳＭＳメッセージ、テキストメッセージ、音声メッセージ、または任意の特定のアカウントのステータスに依存する通信のその他の形式）の使用を制限し得ることはさらに認識される。
【０１１６】
本開示は、本発明の実施形態の単なる例示である以上の記載とともに、添付の特許請求の範囲によって規定される。当業者は、添付の特許請求の範囲によって規定される本発明の範囲から逸脱することなく、本明細書中で明示的に論じられなかった特定の改変を上記の実施形態に対して考察し得る。
【図面の簡単な説明】
【０１１７】
【図１】図１は、実施形態において提供されるような、Ｅメールインターフェイスサーバを介して通信ネットワークと通信し、かつその他のネットワークと通信するデバイスの概略図である。
【図２】図２は、図１のＥメールインターフェイスサーバのブロック図である。
【図３Ａ】図３Ａは、図１のデバイスと関連づけられる実施形態によって生成されるように、アクセス要求が、失効しているアカウントに関連する受信されたＥメールを再び見るためになされる場合に、図１のデバイスのディスプレイ上に生成されるグラフィカルユーザインターフェイス（ＧＵＩ）の概略図である。
【図３Ｂ】図３Ｂは、図１のデバイスと関連づけられる実施形態によって生成されるように、要求が、失効しているＥメールアカウントに関連するＥメールを送信する／生成するためになされる場合に、図１のデバイスのディスプレイ上に生成される別のＧＵＩの概略図である。
【図３Ｃ】図３Ｃは、図１のデバイスと関連づけられる実施形態によって生成されるように、アクセス要求が、失効しているアカウントのためにウェブサイトに対してなされる場合に、図１のデバイスのディスプレイ上に生成される別のＧＵＩの概略図である。
【図４Ａ】図４Ａは、第１のプロトコルに従う、図１のデバイスに転送されることになっているＥメールを監視する場合に、図１のＥメールインターフェイスサーバによって実行される例示的なステップのフローチャートである。
【図４Ｂ】図４Ｂは、第２のプロトコルに従う、図１のデバイスに転送されることになっているＥメールを監視する場合に、図１のＥメールインターフェイスサーバによって実行される例示的なステップの代替のフローチャートである。
【図５】図５は、実施形態に従う、受信されたＥメールにアクセスを試みる場合に、図１のＥメールサーバと通信する図１のデバイスによって実行される例示的なステップのフローチャートである。
【図６】図６は、実施形態に従う、図１のデバイスの概略画である。
【図７】図７は、図６のデバイスの特定の内部構成要素のブロック図である。
【符号の説明】
【０１１８】
１００  システム
１０２  ネットワーク
１０４、１０８  デバイス
１２０  データベース
１２２  Ｅメールインターフェイスサーバ
２０２  規則
２０４  ユーザリスト
２０６  通信モジュール
２０８  監視
３００  Ｅメール
３０２  通知
３０４  選択
３０６  オプション
【図１】
2009129464.tif 000004
【図２】
2009129464.tif 000005
【図３Ａ】
2009129464.tif 000006
【図３Ｂ】
2009129464.tif 000007
【図３Ｃ】
2009129464.tif 000008
【図４Ａ】
2009129464.tif 000009
【図４Ｂ】
2009129464.tif 000010
【図５】
2009129464.tif 000011
【図６】
2009129464.tif 000012
【図７】
2009129464.tif 000013